(57)【要約】【課題】移動局の通信に関する情報を適切に取得することが可能な情報収集システム、移動局及び情報収集方法を提供する。【解決手段】移動局１１０は、通信ログの取得契機となった場合、通信ログを取得し、通信ログの送信契機になった場合に、取得した通信ログをデータ収集装置１４０へ送信する。データ収集装置１４０は、移動局１１０からの通信ログを受信すると、当該通信ログをデータベースに格納する。更に、データ収集装置１４０は、データベースに格納した通信ログを解析する。【選択図】        図２
2004166140.tif 000002
【特許請求の範囲】
【請求項１】
移動局と、データ収集装置とを有する情報収集システムにおいて、
前記移動局は、
通信に関する情報を取得する情報取得手段と、
前記取得された通信に関する情報をデータ収集装置へ送信する情報送信手段と、
を備え、
前記データ収集装置は、
前記移動局から送信される通信に関する情報を受信する情報受信手段と、
前記受信された通信に関する情報を格納する情報格納手段と、
を備えることを特徴とする情報収集システム。
【請求項２】
請求項１に記載の情報収集システムにおいて、
前記データ収集装置は、前記情報格納手段に格納された通信に関する情報を解析する情報解析手段を備えることを特徴とする情報収集システム。
【請求項３】
請求項１又は２に記載の情報収集システムにおいて、
前記通信に関する情報は、前記移動局の位置及び移動に関する情報、前記移動局の通信データ量に関する情報、前記移動局の通信時間に関する情報、前記移動局の通信回数に関する情報、前記移動局における電波強度に関する情報、及び、前記移動局の不具合に関する情報の少なくとも何れかであることを特徴とする情報収集システム。
【請求項４】
請求項１乃至３の何れかに記載の情報収集システムにおいて、
前記情報取得手段は、通信に関する事象が発生した時、利用者による指示があった時、所定時間毎、及び、前記移動局に不具合が発生した時の少なくとも何れかの契機で、前記通信に関する情報を取得することを特徴とする情報収集システム。
【請求項５】
請求項１乃至４の何れかに記載の情報収集システムにおいて、
前記情報送信手段は、通信時に用いる制御用データ及びユーザデータの何れかに、前記通信に関する情報を含ませて送信することを特徴とする情報収集システム。
【請求項６】
通信に関する情報を取得する情報取得手段と、
前記取得された通信に関する情報を、データ収集装置へ送信する情報送信手段と、
を備える移動局。
【請求項７】
請求項６に記載の移動局において、
前記通信に関する情報は、前記移動局の位置及び移動に関する情報、前記移動局の通信データ量に関する情報、前記移動局の通信時間に関する情報、前記移動局の通信回数に関する情報、前記移動局における電波強度に関する情報、及び、前記移動局の不具合に関する情報の少なくとも何れかであることを特徴とする移動局。
【請求項８】
請求項６又は７に記載の移動局において、
前記情報取得手段は、通信に関する事象が発生した時、利用者による指示があった時、所定時間毎、及び、前記移動局に不具合が発生した時の少なくとも何れかの契機で、前記通信に関する情報を取得することを特徴とする移動局。
【請求項９】
請求項６乃至８の何れかに記載の移動局において、
前記情報送信手段は、通信時に用いる制御用データ及びユーザデータの何れかに、前記通信に関する情報を含ませて送信することを特徴とする移動局。
【請求項１０】
移動局と、データ収集装置とを有する情報収集システムにて、前記移動局の通信に関する情報を収集する方法において、
前記移動局の通信に関する情報を取得する手順と、
前記取得した移動局の通信に関する情報を前記移動局から情報収集システムを構成するデータ収集装置へ送信する手順と、
前記移動局からの通信に関する情報を前記データ収集装置へ格納する手順と、
を備えることを特徴とする情報収集方法。
【請求項１１】
請求項１０に記載の情報収集方法において、
前記データ収集装置に格納された通信に関する情報を解析する手順を備えることを特徴とする情報収集方法。
【請求項１２】
請求項１０又は１１に記載の情報収集方法において、
前記通信に関する情報は、前記移動局の位置及び移動に関する情報、前記移動局の通信データ量に関する情報、前記移動局の通信時間に関する情報、前記移動局の通信回数に関する情報、前記移動局における電波強度に関する情報、及び、前記移動局の不具合に関する情報の少なくとも何れかであることを特徴とする情報収集方法。
【請求項１３】
請求項１０乃至１２の何れかに記載の情報収集方法において、
前記移動局の通信に関する情報を取得する手順は、通信に関する事象が発生した時、利用者による指示があった時、所定時間毎、及び、前記移動局に不具合が発生した時の少なくとも何れかの契機で、前記通信に関する情報を取得することを特徴とする情報収集方法。
【請求項１４】
請求項１０乃至１３の何れかに記載の情報収集方法において、
前記取得した移動局の通信に関する情報を前記移動局から情報収集システムを構成するデータ収集装置へ送信する手順は、前記移動局の通信時に用いられる制御用データ及びユーザデータの何れかに、前記移動局の通信に関する情報を含ませて送信することを特徴とする情報収集方法。
【発明の詳細な説明】
【０００１】
【発明の属する技術分野】
本発明は、移動局と、データ収集装置とを有する情報収集システムに関する。
【０００２】
【従来の技術】
従来の移動通信システムでは、ネットワークの品質の改善、例えば、基地局の適切な配置や無線チャネルの適切な設定を図るため、通信に関する様々な情報を取得し、解析することが行われている。図１は、移動局の通信に関する情報を収集する従来の移動通信システムの構成例を示す図である。同図に示す移動通信システムは、移動局（ＭＳ）２１０、パーソナルコンピュータ（ＰＣ）２２０、フロッピー（登録商標）ディスク２３０、データベース２４０、基地局（ＢＴＳ）２５０、無線ネットワーク制御装置（ＲＮＣ）２５２、加入者交換機２５４、関門交換機２５６、ネットワークデータ取得部２６０、インターネットサービスプロバイダ装置（ＩＳＰ）２７０及びインターネット２８０により構成される。
【０００３】
ネットワークデータ取得部２６０は、基地局２５０、無線ネットワーク制御装置２５２、加入者交換機２５４及び関門交換機２５６からの通信に関する情報を取得する。
【０００４】
一方、移動局２１０の通信に関する情報は、以下のようにして取得される。即ち、移動局２１０は、特殊なアプリケーションがインストールされたパーソナルコンピュータ２２０に接続される。このパーソナルコンピュータ２２０は、移動局２１０からの情報を収集し、記憶媒体（ここではフロッピー（登録商標）ディスク２３０）に格納する。作業者は、記憶媒体に格納された通信に関する情報をデータベース２４０に移行する作業を行う。
【０００５】
【発明が解決しようとする課題】
上述したように、従来の移動通信システムでは、移動局２１０の通信に関する情報を取得するために、特殊なアプリケーションがインストールされたパーソナルコンピュータ２２０に移動局２１０を接続させなければならず、不特定多数の移動局の通信に関する情報を取得することが容易ではなかった。また、作業者が記憶媒体に格納された通信に関する情報をデータベース２４０に移行するという、人手を要する煩雑な作業が必要となる。更には、このように人手を要する作業が必要となる結果、通信に関する情報を迅速に取得、解析して、早期にネットワークの品質を改善させることが困難であった。
【０００６】
本発明は、上記問題点を解決するものであり、その目的は、移動局の通信に関する情報を適切に取得することが可能な情報収集システム、移動局及び情報収集方法を提供することにある。
【０００７】
【課題を解決するための手段】
上記の目的を達成するため、本発明は請求項１に記載されるように、移動局と、データ収集装置とを有する情報収集システムにおいて、前記移動局は、通信に関する情報を取得する情報取得手段と、前記取得された通信に関する情報をデータ収集装置へ送信する情報送信手段とを備え、前記データ収集装置は、前記移動局から送信される通信に関する情報を受信する情報受信手段と、前記受信された通信に関する情報を格納する情報格納手段とを備えることを特徴とする。
【０００８】
また、本発明は請求項２に記載されるように、請求項１に記載の情報収集システムにおいて、前記データ収集装置は、前記情報格納手段に格納された通信に関する情報を解析する情報解析手段を備えることを特徴とする。
【０００９】
また、本発明は請求項３に記載されるように、請求項１又は２に記載の情報収集システムにおいて、前記通信に関する情報は、前記移動局の位置及び移動に関する情報、前記移動局の通信データ量に関する情報、前記移動局の通信時間に関する情報、前記移動局の通信回数に関する情報、前記移動局における電波強度に関する情報、及び、前記移動局の不具合に関する情報の少なくとも何れかであることを特徴とする。
【００１０】
また、本発明は請求項４に記載されるように、請求項１乃至３の何れかに記載の情報収集システムにおいて、前記情報取得手段は、通信に関する事象が発生した時、利用者による指示があった時、所定時間毎、及び、前記移動局に不具合が発生した時の少なくとも何れかの契機で、前記通信に関する情報を取得することを特徴とする。
【００１１】
また、本発明は請求項５に記載されるように、請求項１乃至４の何れかに記載の情報収集システムにおいて、前記情報送信手段は、通信時に用いる制御用データ及びユーザデータの何れかに、前記通信に関する情報を含ませて送信することを特徴とする。
【００１２】
また、本発明は請求項６に記載されるように、通信に関する情報を取得する情報取得手段と、前記取得された通信に関する情報を、データ収集装置へ送信する情報送信手段とを備える移動局である。
【００１３】
また、本発明は請求項７に記載されるように、請求項６に記載の移動局において、前記通信に関する情報は、前記移動局の位置及び移動に関する情報、前記移動局の通信データ量に関する情報、前記移動局の通信時間に関する情報、前記移動局の通信回数に関する情報、前記移動局における電波強度に関する情報、及び、前記移動局の不具合に関する情報の少なくとも何れかであることを特徴とする移動局である。
【００１４】
また、本発明は請求項８に記載されるように、請求項６又は７に記載の情報収集システムにおいて、前記情報取得手段は、通信に関する事象が発生した時、利用者による指示があった時、所定時間毎、及び、前記移動局に不具合が発生した時の少なくとも何れかの契機で、前記通信に関する情報を取得することを特徴とする。
【００１５】
また、本発明は請求項９に記載されるように、請求項６乃至８の何れかに記載の移動局において、前記情報送信手段は、通信時に用いる制御用データ及びユーザデータの何れかに、前記通信に関する情報を含ませて送信することを特徴とする。
【００１６】
また、本発明は請求項１０に記載されるように、移動局と、データ収集装置とを有する情報収集システムにて、前記移動局の通信に関する情報を収集する方法において、前記移動局の通信に関する情報を取得する手順と、前記取得した移動局の通信に関する情報を前記移動局から情報収集システムを構成するデータ収集装置へ送信する手順と、前記移動局からの通信に関する情報を前記データ収集装置へ格納する手順とを備えることを特徴とする。
【００１７】
また、本発明は請求項１１に記載されるように、請求項１０に記載の情報収集方法において、前記データ収集装置に格納された通信に関する情報を解析する手順を備えることを特徴とする。
【００１８】
また、本発明は請求項１２に記載されるように、請求項１０又は１１に記載の情報収集方法において、前記通信に関する情報は、前記移動局の位置及び移動に関する情報、前記移動局の通信データ量に関する情報、前記移動局の通信時間に関する情報、前記移動局の通信回数に関する情報、前記移動局における電波強度に関する情報、及び、前記移動局の不具合に関する情報の少なくとも何れかであることを特徴とする。
【００１９】
また、本発明は請求項１３に記載されるように、請求項１０乃至１２の何れかに記載の情報収集方法において、前記移動局の通信に関する情報を取得する手順は、通信に関する事象が発生した時、利用者による指示があった時、所定時間毎、及び、前記移動局に不具合が発生した時の少なくとも何れかの契機で、前記通信に関する情報を取得することを特徴とする。
【００２０】
また、本発明は請求項１４に記載されるように、請求項１０乃至１３の何れかに記載の情報収集方法において、前記取得した移動局の通信に関する情報を前記移動局から情報収集システムを構成するデータ収集装置へ送信する手順は、前記移動局の通信時に用いられる制御用データ及びユーザデータの何れかに、前記移動局の通信に関する情報を含ませて送信することを特徴とする。
【００２１】
本発明によれば、移動局が自身の通信に関する情報を取得し、データ収集装置へ送信しているため、従来のように特殊なアプリケーションがインストールされたパーソナルコンピュータ等を用意する必要がない。また、移動局の通信に関する情報の取得に際し、人手を要する煩雑な作業も必要ではないため、迅速な情報収集が可能となる。従って、ネットワークの品質改善のために、移動局の通信に関する情報を適切に取得することが可能となる。
【００２２】
【発明の実施の形態】
以下、本発明の実施の形態を図面に基づいて説明する。図１は、本発明の実施形態に係る移動通信システムの構成例である。同図に示す移動通信システムは、移動局（ＭＳ）１１０、データ収集装置１４０、基地局（ＢＴＳ）１５０、無線ネットワーク制御装置（ＲＮＣ）１５２、加入者交換機１５４、関門交換機１５６、ネットワークデータ取得部１６０、インターネットサービスプロバイダ装置（ＩＳＰ）１７０及びインターネット１８０により構成される。
【００２３】
この移動通信システムでは、移動局１１０が自身の通信に関する情報（以下、「通信ログ」と称する）を取得してデータ収集装置１４０へ送信する。データ収集装置１４０は、通信ログを受信して格納するとともに、ネットワークの品質改善のために、通信ログの解析を行う。
【００２４】
移動局１１０は、アンテナ１０１、送受信部１０２、情報取得部１０３、一時メモリ１０４、個別メモリ１０５及び操作部１０６を備える。
【００２５】
情報取得部１０３は、通信ログの取得契機になったか否かを判定する。通信ログの取得契機は、通信に関する事象が発生した時、具体的には、移動局１１０が通信を開始又は終了した時、移動局１１０のサービスエリアにおける在圏状況が変化した時、即ち、移動局１１０の通信相手となる基地局１５０が切り替わった時や、移動局１１０がサービスエリア外からサービスエリア内に移動した時、移動局１１０がサービスエリア内からサービスエリア外に移動した時である。また、移動局１１０が通信を行うことができなかった時（以下、「不接事象」と称する）や移動局１１０による通信が切断された時（以下、「切断事象」と称する）などの移動局１１０に不具合が発生した時や、利用者による操作部１０６の操作により通信ログの取得が指示された時が通信ログの取得契機となる。更には、所定時間毎に通信ログが取得される場合には、当該所定時間が経過する毎に通信ログの取得契機となる。
【００２６】
通信ログの取得契機となった場合、情報取得部１０３は、通信ログを取得する。通信ログとは、移動局１１０の位置及び移動に関する情報、移動局１１０の通信データ量に関する情報、移動局１１０の通信時間に関する情報、移動局１１０の通信回数に関する情報、移動局１１０における電波強度に関する情報、及び、移動局１１０の不具合に関する情報である。
【００２７】
移動局１１０の位置に関する情報とは、例えば、ＧＰＳによる経度・緯度情報、移動局が在圏するサービスエリアを識別するためのエリアコード等の移動局１１０の位置を特定することが可能な情報である。この移動局１１０の位置に関する情報は、例えば、利用者により通信ログの取得が指示された時や所定時間が経過する毎に取得契機となる。
【００２８】
また、移動局１１０の移動に関する情報とは、例えば、所定の期間内に移動局１１０がサービスエリアを移動した回数、即ち、移動局１１０の通信相手となる基地局１５０が切り替わった回数や、移動局１１０がサービスエリア外からサービスエリア内に移動した回数、移動局１１０がサービスエリア内からサービスエリア外に移動した回数である。この移動局１１０の移動に関する情報は、例えば、移動局１１０が在圏するサービスエリアが切り替わった時や、移動局１１０がサービスエリア外からサービスエリア内に移動した時、移動局１１０がサービスエリア内からサービスエリア外に移動した時、利用者により通信ログの取得が指示された時、所定時間が経過する毎に取得契機となる。
【００２９】
また、移動局１１０の通信データ量に関する情報とは、移動局１１０が通信中に送信及び受信したデータの量である。更に、移動局１１０の通信時間に関する情報とは、移動局１１０における１回の通信の開始から終了までの時間である。これら移動局１１０の通信データ量に関する情報や移動局１１０の通信時間に関する情報は、例えば、移動局１１０が通信を開始又は終了した時や、移動局１１０が在圏するサービスエリアが切り替わった時、移動局１１０がサービスエリア外からサービスエリア内に移動した時、移動局１１０がサービスエリア内からサービスエリア外に移動した時、利用者により通信ログの取得が指示された時に取得契機となる。
【００３０】
移動局１１０の通信回数に関する情報とは、例えば、所定の期間内に移動局１１０が通信を行った回数である。この移動局１１０の通信回数に関する情報は、例えば、移動局１１０が在圏するサービスエリアが切り替わった時や、移動局１１０がサービスエリア外からサービスエリア内に移動した時、移動局１１０がサービスエリア内からサービスエリア外に移動した時、利用者により通信ログの取得が指示された時、所定時間が経過する毎に取得契機となる。
【００３１】
また、移動局１１０における電波強度に関する情報とは、例えば、移動局１１０が周辺の基地局１５０との間で信号を送受信する際における、当該信号の電波強度の情報と通信相手である基地局１５０の識別情報とを組み合わせた情報等である。
【００３２】
移動局１１０の不具合に関する情報とは、例えば、移動局１１０に不具合が発生した時における移動局１１０の位置情報（ＧＰＳによる経度・緯度情報、移動局が在圏するサービスエリアを識別するためのエリアコード等の移動局１１０の位置を特定することが可能な情報）や移動局１１０における通信処理に関する情報（以下、「内部情報」と称する）である。この移動局１１０の不具合に関する情報は、例えば、移動局１１０が通信を開始した時や、移動局１１０に不具合が発生した時、利用者により通信ログの取得が指示された時が通信ログの取得契機となる。
【００３３】
次に、情報取得部１０３は、取得した通信ログを一時メモリ１０４へ格納する。更に、情報取得部１０３は、一時メモリ１０４に格納された通信ログを送信する必要があるか否かを判定する。情報取得部１０３は、例えば、移動局１１０が通信を開始した時から不具合に関する情報の取得を開始したが、通信が正常に終了したような場合には、通信ログの送信の必要がないと判断する。
【００３４】
情報取得部１０３は、通信ログの送信が必要と判断した場合、一時メモリ１０４内の通信ログを個別メモリ１０５に格納する。
【００３５】
更に、情報取得部１０３は、一時メモリ１０４に格納された通信ログを削除するとともに、通信ログの送信契機であるか否かを判定する。通信ログの送信契機は、予め移動局１１０に設定しておくことが可能である。この通信ログの送信契機は、例えば、通信ログが取得された直後、所定時間毎、移動局１１０がサービスエリア外からサービスエリア内に移動した時等である。
【００３６】
通信ログの送信契機である場合、情報取得部１０３は、個別メモリ１０５に格納された通信ログを送受信部１０２に出力する。送受信部１０２は、この通信ログを送信する。具体的には、送受信部１０２は、移動局１１０による通信時における制御用データであるＣ−ＰＬＡＮＥに通信ログを含ませて送信する。
【００３７】
あるいは、送受信部１０２は、移動局１１０による通信時におけるユーザデータであるＵ−ＰＬＡＮＥに通信ログを含ませて送信する。この場合、送受信部１０２は、データ収集装置１４０の識別情報（ＩＰアドレス、電話番号、ＡＰＮ名、ＵＲＬ名等）を保持しており、これらの識別情報をＣ−ＰＬＡＮＥの宛先として設定する。その後、送受信部１０２は、Ｕ−ＰＬＡＮＥパスを設定する。更に、送受信部１０２は、Ｕ−ＰＬＡＮＥパスが設定された後、予め定められたプロトコルフォーマットに従い、通信ログを送信する。
【００３８】
通信ログは、アンテナ１０１を介して基地局１５０に送られる。更に、通信ログは、基地局１５０、無線ネットワーク制御装置１５２、加入者交換機１５４、関門交換機１５６、ＩＳＰ１７０及びインターネット１８０を介してデータ収集装置１４０へ送られる。
【００３９】
データ収集装置１４０は、送受信部１４１、データベース１４２及び情報解析部１４３を備える。
【００４０】
送受信部１４１は、移動局１１０から送信された通信ログを受信し、データベース１４２へ送る。データベース１４２は、通信ログを格納する。情報解析部１４３は、データベースに格納された通信ログの解析を行う。なお、情報解析部１４３は、ネットワークデータ取得部１６０が取得したデータについても取得し、データベースに格納された通信ログと、ネットワークデータ取得部１６０が取得した基地局１５０、無線ネットワーク制御装置１５２、加入者交換機１５４及び関門交換機１５６からの通信に関する情報を取得して解析するようにしても良い。
【００４１】
具体的には、情報解析部１４３は、以下のようにして解析を行う。例えば、移動局１１０が不接事象が発生した時に、当該移動局１１０の位置情報及び内部情報を通信ログとして取得した場合を考える。この場合、情報解析部１４３は、データベース１４２から移動局１１０の不接事象発生時における位置情報及び内部情報を抽出、解析する。あるいは、情報解析部１４３は、データベース１４２から移動局１１０の不接事象発生時における位置情報及び内部情報を抽出するとともに、ネットワークデータ取得部１６０から当該不接事象に関連するデータを取得する。そして、情報解析部１４３は、これら移動局１１０の不接事象発生時における位置情報及び内部情報を解析する。このような解析により、不接事象の原因、具体的には、移動局１１０自体の障害や、移動局１１０がサービスエリア外に位置していること等を特定することが可能となり、移動通信システムの管理者は、移動局１１０の交換や基地局の増設による新たなサービスエリアの設定等の適切な対処を迅速に行うことができる。
【００４２】
また、移動局１１０がサービスエリア内からサービスエリア外に移動した時に、当該移動局１１０の位置情報を通信ログとして取得した場合を考える。この場合、情報解析部１４３は、データベース１４２から移動局１１０がサービスエリア内からサービスエリア外に移動した時の位置情報を抽出、解析する。このような解析により、サービスエリアの範囲を特定することが可能となり、移動通信システムの管理者は、基地局の増設による新たなサービスエリアの設定等の適切な対処を迅速に行うことができる。
【００４３】
また、各移動局１１０が通信相手となる基地局１５０が切り替わった回数や、移動局１１０がサービスエリア外からサービスエリア内に移動した回数、移動局１１０がサービスエリア内からサービスエリア外に移動した回数を通信ログとして取得した場合を考える。この場合、情報解析部１４３は、データベース１４２から各移動局１１０の移動回数に関する情報を抽出、解析する。このような解析により、各移動局１１０の平均移動回数等を算出することが可能となり、移動通信システムの管理者は、基地局における無線チャネルの増加等の適切な対処を迅速に行うことができる。
【００４４】
図３は、移動局及びデータ収集装置の動作を示すシーケンス図である。移動局１１０は、通信ログの取得契機となった場合、通信ログを取得する（ステップ１０１）。更に移動局１１０は、通信ログの送信契機になった場合に、取得した通信ログをデータ収集装置１４０へ送信する（ステップ１０２）。
【００４５】
データ収集装置１４０は、移動局１１０からの通信ログを受信すると（ステップ１０３）、当該通信ログをデータベースに格納する。更に、データ収集装置１４０は、データベースに格納した通信ログを解析する（ステップ１０４）。
【００４６】
次に、図３に示したフローチャートのうち、移動局１１０におけるステップ１０１及びステップ１０２の動作を詳細に説明する。図４は、移動局１１０における通信ログ取得処理を示すフローチャートである。移動局１１０内の情報取得部１０３は、通信ログの取得契機になったか否かを判定する（ステップ２０１）。通信ログの取得契機となった場合、情報取得部１０３は、通信ログの取得を開始し（ステップ２０２）、一時メモリ１０４へ格納する（ステップ２０３）。
【００４７】
次に、情報取得部１０３は、一時メモリ１０４に格納された通信ログを送信する必要があるか否かを判定する（ステップ２０４）。情報取得部１０３は、通信ログの送信が必要と判断した場合、一時メモリ１０４内の通信ログを個別メモリ１０５に格納する（ステップ２０５）。
【００４８】
ステップ２０５において一時メモリ１０４内の通信ログを個別メモリ１０５に格納された後、又は、ステップ２０４において通信ログの送信が必要でないと判断された場合、情報取得部１０３は、一時メモリ１０４に格納された通信ログを削除する（ステップ２０６）。
【００４９】
更に、情報取得部１０３は、個別メモリ１０５内に通信ログが格納されているか否かを判定する（ステップ２０７）。個別メモリ１０５内に通信ログが格納されている場合、当該通信ログは送信対象である。従って、その後、情報取得部１０３は、通信ログの送信処理を進める。一方、個別メモリ１０５内に通信ログが格納されていない場合には、送信対象の通信ログがないため、情報取得部１０３は、再び通信ログの取得契機であるか否かの判定（ステップ２０１）以降の動作を繰り返す。
【００５０】
図５は、移動局１１０における通信ログ送信処理を示すフローチャートである。情報取得部１０３は、図４のステップ２０７において、個別メモリ１０５内に通信ログが格納されていると判断した場合、移動局１１０に通信ログの送信契機が設定されているか否かを判定する（ステップ３０１）。
【００５１】
通信ログの送信契機が設定されている場合、送受信部１０２は、その送信契機になった場合に、データ収集装置１４０との通信のための発信処理を行う（ステップ３０３）。一方、通信ログの送信契機が設定されていない場合、送受信部１０２は、予め用意された通信ログの送信契機（例えば、通信ログの取得直後）を設定し（ステップ３０２）、当該送信契機になった場合に、データ収集装置１４０との通信のための発信処理を行う（ステップ３０３）。
【００５２】
発信処理の後、送受信部１０２は、発信処理が正常に終了したか否かを判定する（ステップ３０４）。発信処理が正常に終了した場合、送受信部１０２は、個別メモリ１０５に格納された通信ログを、情報取得部１０３を介して取得し、データ収集装置１４０へ送信する（ステップ３０５）。一方、発信処理が正常に終了していない場合、送受信部１０２は、発信処理のリトライ回数が所定回に達したか否かを判定する（ステップ３０６）。発信処理のリトライ回数が所定回に達した場合には、送受信部１０２は、一連の送信処理を終了する。一方、発信処理のリトライ回数が所定回に達していない場合には、送受信部１０２は、再び発信処理（ステップ３０３）以降の動作を繰り返す。
【００５３】
上述したように、本実施形態の移動通信システムでは、移動局１１０が自身の通信に関する情報（通信ログ）を取得してデータ収集装置１４０へ送信する。データ収集装置１４０は、通信ログを受信して格納するとともに、ネットワークの品質改善のために、通信ログの解析を行う。このため、従来のように特殊なアプリケーションがインストールされたパーソナルコンピュータ等を用意する必要がない。また、通信ログの取得に際し、人手を要する煩雑な作業も必要ではないため、迅速な通信ログの収集が可能となる。従って、ネットワークの品質改善のために、通信ログの取得を適切に行うことができる。
【００５４】
なお、上述した実施形態では、データ収集装置１４０内の情報解析部１４３がデータベース１４２に格納された通信ログを解析したが、データ収集装置１４０以外の他のサーバ等が通信ログを解析するようにしても良い。
【００５５】
また、上述した実施形態では、移動通信システムは、データ収集装置１４０が関門交換機１５６よりも上位のネットワークであるインターネット１８０に接続された構成を有しているが、データ収集装置１４０の接地位置はこれに限られるものではなく、例えば加入者交換機１５４に接続される構成であっても良い。
【００５６】
【発明の効果】
上述の如く、本願発明によれば、移動局が周波数をできるだけ均等に選択することが可能となる。
【図面の簡単な説明】
【図１】従来の移動通信システムの構成例を示す図である。
【図２】本発明の実施形態に係る移動通信システムの構成例を示す図である。
【図３】移動局及びデータ収集装置の動作を示すシーケンス図である。
【図４】移動局における通信ログ取得処理を示すフローチャートである。
【図５】移動局における通信ログ送信処理を示すフローチャートである。
【符号の説明】
１０１  アンテナ
１０２、１４１  送受信部
１０３  情報取得部
１０４  一時メモリ
１０５  個別メモリ
１０６  操作部
１４０  データ収集装置
１４２  データベース
１４３  情報解析部
１５０  基地局
１５２  無線ネットワーク制御装置
１５４  加入者交換機
１５６  関門交換機
１６０  ネットワークデータ取得部
１７０  ＩＳＰ
１８０  インターネット
【図１】
2004166140.tif 000003
【図２】
2004166140.tif 000004
【図３】
2004166140.tif 000005
【図４】
2004166140.tif 000006
【図５】
2004166140.tif 000007